(57)【要約】紛失防止機構を衣類製品に取り付けて、衣類およびまたは子供が着用している少なくとも１つの被覆物が外れることを防止する。被覆物は、あらゆる種類の被覆物であり、靴下、靴、手袋、ミトン、帽子等を含む。結合機構の操作は簡単であるが、幼児にはあまり示さない技能の組み合わせが必要となる。さらに、製品は全て相互接続されているため、製品の分離や製品による窒息を防止できる。
2021534333.tif 000002
【特許請求の範囲】
【請求項１】
履物製品が外れることを防止するための装置であって、
第１の端部および第２の端部を有する第１のストラップが結合された靴下であって、前記第１の端部上に第１のコネクタが設けられ、前記第２の端部上に第２のコネクタが設けられている靴下と、
前記第１のストラップに結合され、少なくとも１つの通路を形成するように構成される第２のストラップと、
前記少なくとも１つの通路を通されるように構成された第３のストラップであって、前記第３のストラップ上に第３のコネクタ設けられている第３のストラップと
を備える、装置。
【請求項２】
請求項１に記載の装置において、
前記第３のストラップの長さが調節可能である、装置。
【請求項３】
請求項１に記載の装置において、更に、
前記第３のストラップに結合された長さ調整機構を備える、装置。
【請求項４】
請求項３に記載の装置において、
前記第３のストラップは、前記長さ調整機構を通されることで、ループおよびテールを形成する、装置。
【請求項５】
請求項１に記載の装置において、更に、
前記第２のストラップによって形成される通路の外面に配置された第４のコネクタを備える、装置。
【請求項６】
請求項４に記載の装置において、
前記第３のコネクタは、前記テールの遠位端に設けられている、装置。
【請求項７】
請求項１に記載の装置において、
前記第２のストラップは、前記第１のストラップに直接取り付けられている、装置。
【請求項８】
請求項１に記載の装置において、
前記第１のストラップは、第１の接続点および第２の接続点で、前記靴下に結合されている、装置。
【請求項９】
請求項８に記載の装置において、
前記第１の接続点は、前記第１のストラップの第１の端部付近に設けられ、
前記第２の接続点は、前記第１のストラップの中間点付近に設けられている、装置。
【請求項１０】
履物製品が外れることを防止するための装置であって、
第１の端部および第２の端部を有する第１のストラップが結合された靴下であって、前記第１の端部上にオスコネクタが設けられ、前記第２の端部上にメスコネクタが設けられている靴下と、
前記第１のストラップに直接取り付けられる第２のストラップであって、少なくとも１つの通路を形成するように構成されると共に、前記第２のストラップ上にオスコネクタが設けられている第２のストラップと、
前記少なくとも１つの通路を通されるように構成された第３のストラップとを備え、
前記第３のストラップは、前記第３のストラップの第１の端部に配置されたメスコネクタを有し、
前記第３のストラップの長さは調整可能である、装置。
【請求項１１】
履物製品を固定する方法であって、
靴下を提供することであって、前記靴下は、
前記靴下に結合され、第１の端部および第２の端部を有する第１のストラップであって、前記第１の端部上に第１のコネクタが設けられ、前記第２の端部上に第２のコネクタが設けられている第１のストラップと、
前記第１のストラップに結合され、少なくとも１つの通路を形成するように構成される第２のストラップと、
少なくとも１つの通路を通されるように構成された第３のストラップであって、前記第３のストラップ上に第３のコネクタが設けられている第３のストラップとを備え、
前記第３のストラップを前記靴下の周囲に巻き付けることであって、前記第３のストラップは前記履物製品の通路を通すことと、
前記第３のコネクタを、前記第２のストラップ上に設けられた第４のコネクタに結合することと、
前記第１のストラップの前記第２のコネクタを、前記第１のストラップの前記第１のコネクタに結合することと
を備える方法。
【請求項１２】
請求項１１に記載の方法において、更に、
前記第３のストラップの長さを調整することを備える、方法。
【請求項１３】
請求項１１に記載の方法において、更に、
前記第１のストラップ、前記第２のストラップ、及び前記第３のストラップの少なくとも一部を覆うように前記靴下を折りたたむことを備える、方法。
【発明の詳細な説明】
【技術分野】
【０００１】
本発明の実施形態の分野は、身体から被覆物が外れることを防止するための装置、即ち、手や足から衣類およびまたは被覆物が外れることを防止するための装置に関する。特に、本実施形態は、幼児が衣類およびまたは履物製品を外すことや、外して紛失することを防止するためのストラップ固定接続機構に関する。
【背景技術】
【０００２】
幼児、とりわけ、乳幼児や赤ん坊にとって、手や足等に手袋、ミトン、靴下、靴、帽子等のさまざまな被覆物を着用することはとても重要である。そのような被覆物は、子供を外部環境から保護したり、体温を正常に維持するのに役立つ。ただし、これらの被覆物は、子供が身体をよじったり、蹴ったり、動き回ったりすることで、紛失する虞がある。
【０００３】
赤ちゃんが年をとるにつれて、彼らは身の回りのことに気づき始める。このため、赤ちゃんが手と足とで遊ぶようになり、自分の手や足の指を引っ張ったり掴んだりするようになる。赤ちゃんの運動能力が上がるにつれて、自らの意図的な行動によって被覆物を外すことが上手くなる。しかしながら、被覆物を元に戻したり紛失しないようにしたりすることは、未熟である。多くの場合、例えば、靴は、親や介護者が紛失に気付かずに手遅れになって、紛失することがある。このことは、子供にとって望ましくないだけでなく、若い親たちにとって被覆物を買い換えるのに費用がかかる等の金銭的な問題をもたらしている。
【０００４】
さらに、そのような実装は安全に使用できることが重要である。前述のように、幼児は身の回りのことについて特に好奇心旺盛である。彼らが新しい感覚や能力などを「発見」するにつれて、けがの可能性が高くなる。幼児、とりわけ、赤ちゃんは、おもちゃや衣類の一部を噛んだり、ばらばらにしたりすることがとても得意である。実際、連邦法では、窒息のリスクに関する警告をそのような製品に課さなければならないことが定められている。したがって、子供向けに設計されたあらゆるシステムには、大きな製品からばらばらにされて子供の窒息や重傷を引き起こし得る小さな物がないことが、非常に重要とされている。
【０００５】
衣料品の紛失の可能性を是正する試みがなされてきたが、それらは実装が難しくかつ赤ちゃんにとって不快であるため、良くなかった。これらの解決策としては、コード、ラップ、ストラップなどを使用して、被覆物を、別の衣類製品や赤ちゃん自体に固定する方法がある。より良い解決策は、より広い範囲で、身の回りのことと関わり合うために赤ちゃんが普通はできないことを利用している。通常、３歳以下の子供は多くの個別技能を持っているが、問題を解決するためにそれらの技能を組み合わせる能力は持っていない。このように、子供は優れた手先の器用さ、指の強さ、問題解決技能を持っているが、多くの場合、これらはばらばらに発揮される。
【０００６】
本発明およびその実施形態は、靴と靴下の組み合わせなどの被覆物を互いに結合して両方の被覆物が外れることを防止するために使用される装置を提供する。簡単でありながら新規な装置は、大人であれば簡単に操作できるが、幼児では操作することができない。この装置は、一実施形態では、靴がかかとから外れることを防止することで、靴が外れることを防止する。最初に靴を脱がなければ靴下を脱ぐことができないことは明らかである。さらに、その装置は、単一構造であることで、窒息または他の危害が子供に及ばないようにしている。
【０００７】
特許文献１は、アンクレットに関するものであり、アンクレットは、子供の足首を取り囲むストラップと、足首の周りのストラップに取り付けられかつそのストラップを選択的に維持するクイックディスコネクトバックルと、意図せず外れたときに足被覆物が紛失しないようにスラップに係ると共に子供が着用した足被覆物と係合するリーシュとを含む。ストラップは、足首に面する層と、周囲に面する層とを含む。足首に面する層は、弾性係数を有するエラストマー製である。周囲に面する層は、足首に面する層を直接覆うと共に、制限された弾性係数を有する布製である。これにより、足首に面する層がその弾性係数を越えて機能しなくなるのを防いでいる。リーシュは、足の被覆物を通って延びてからそれ自体を通って戻る無限ループである。そうすることで、足の被覆物に自己固定される。
【０００８】
特許文献２は、コネクタに関し、コネクタは、かかと領域上で靴下の後部に取り外し可能に固定される一端と、靴の後部またはかかと領域の外側に取り外し可能に固定される他端とを有する。このコネクタは、固定されると、靴下が靴に乗ったり滑ったりするのを完全に抑制する。
【０００９】
特許文献３は、後部またはかかと領域から突き出たフラップを備えた靴下に関する。フラップは、人が靴下と靴とを履いて動き回るときに、靴下が靴のかかとのキャビティに乗ったり滑ったりその他の方法で作用することを防止するため、靴の後部またはかかと領域の外側に固定される。
【００１０】
特許文献４は、ベビー・スリングによりホルダーの胸部に赤ちゃんが抱っこされているときに、赤ちゃんの膝が曲がったり足がぶら下がったりしないように、赤ちゃんの足を支持することのできるフットサポートシューズ付きのベビー・スリングに関するものであり、ホルダーとベビー・スリングとの間で赤ちゃんの太ももが圧迫されて擦れるのを防ぐ一方で、血液循環をスムーズにして赤ちゃんの健康と安定性を向上させるものである。
【先行技術文献】
【特許文献】
【００１１】
【特許文献１】米国特許第６３９３６１９号明細書
【特許文献２】米国特許第４１８７６１９号明細書
【特許文献３】米国特許第４１６９３２４号明細書
【特許文献４】米国特許出願公開第２０１１／００１１９０２号明細書
【発明の概要】
【発明が解決しようとする課題】
【００１２】
このように、本技術分野では様々な装置が知られている。しかしながら、それらの構造および操作手段は、本開示とは実質的に異なる。他の発明は、本開示によって教示されるすべての問題を解決できない。本発明は、様々な衣料品と共に使用され、それら衣料品の分離を防止するための装置を提供する。装置は、大人であれば簡単に操作できる一方で、それと同じ操作を子供が完全に行うことはできない。本発明の少なくとも１つの実施形態は、以下の図面に提示され、本明細書でより詳細に説明される。
【課題を解決するための手段】
【００１３】
本発明およびその実施形態は、一般に、１つ以上の衣類およびまたは履物製品を別の製品に結合するために使用される装置を説明する。これは、運動技能のさまざまな組み合わせを使用して動作する多層システムを介して実現される。このような技能は１０歳代の子供や大人には見られるが、幼児は簡単に操作できない。好ましい実施形態では、本発明は、履物製品と相互作用可能な靴下を含み、履物が靴下に結合されることで、履物製品が外れることを防止する。他の例では、履物製品が靴下を使用しない場合、本発明によれば、靴下自体が外れることをさらに防止する。しかしながら、本明細書に記載の原理は、ミトン、帽子、手袋など、それらの任意の組み合わせにも等しく適用できる。
【００１４】
本発明の一実施形態では、少なくとも１つの被覆物が外れることを防止するための装置である。装置は、第１の被覆物に結合された第１のコネクタであって、第２の被覆物との接続を形成可能なコネクタを有する第１のコネクタと、第１のコネクタ及び第１の被覆物に結合される第２のコネクタとを備え、第２の被覆物は第１の被覆物付近に配置される。
【００１５】
本発明の別の実施形態では、少なくとも１つの被覆物が外れることを防止するための装置である。装置は、第１の被覆物に結合された第１のコネクタであって、第２の被覆物との接続を形成可能なコネクタを有し、通路被覆物が第１の被覆物の表面に設けられている第１のコネクタと、第１のコネクタおよび第１の被覆物に結合される第２のコネクタであって、第１の部分および第２の部分を有し、第２の被覆物が第１の被覆物を少なくとも部分的に覆うように配置され、コネクタは第１の結合通路および第２の結合通路を有し、第１の結合通路は第２の被覆物に取り外し可能に結合される第２のコネクタとを備える。
【００１６】
本発明のさらに別の実施形態では、少なくとも１つの被覆物が外れることを防止するための装置である。装置は、第１の被覆物に結合された第１のストラップコネクタであって、第１の端部および第２の端部を有し、ヒンジ付きコネクタが第１の端部に設けられて第２の被覆物との接続を形成可能であり、通路被覆物が第１の被覆物の表面に設けられ、ヒンジ付きコネクタが第１の結合通路および第２の結合通路を有し、第１結合通路が第２の被覆物にヒンジで結合可能である第１のストラップコネクタと、第１のストラップコネクタの第２の端部および第１の被覆物に結合される第２のストラップコネクタであって、第１のストラップ部、第２のストラップ部、少なくとも１つの結合機構、少なくとも１つの相補的結合機構とを有し、第２のストラップコネクタが通路被覆物を通されて少なくとも１つの結合機構が少なくとも１つの相補的な結合機構に結合される第２のストラップコネクタとを備える。
【００１７】
本発明の別の態様では、少なくとも１つの被覆物が外れること、およびまたは紛失することを防ぐために、少なくとも１つの被覆物を保持する方法である。この方法は、第１の被覆物を提供することであって、第１の被覆物上に第１のコネクタが設けられ、第１のコネクタがそれ自身に結合されたコネクタを有することと、第２のコネクタの第１の端部を第２のコネクタの第２の端部に結合することであって、第２のコネクタは第１の被覆物の周りに配置されると共に第１の被覆物に結合されることと、第１の被覆物付近に第２の被覆物を提供することと、第１の被覆物のコネクタを第２の被覆物に結合することで第１の被覆物を第２の被覆物に固定することとを備える。
【００１８】
少なくとも１つの実施形態では、両方の被覆物が外れることを防止するために互いに結合可能な靴下および履物製品である。好ましい実施形態では、靴下の表面に配置された通路被覆物が設けられている。この通路被覆物は、通路被覆物と靴下との間に形成された通路の両端に開口部を提供する。ストラップまたは固定ストラップがこの通路を通される。ストラップの両端には接続機構が設けられている。靴下と反対側で、ストラップは、第１のコネクタの第２の通路部材を通されてさらに第２のストラップによって固定される。次に、ストラップの両端を一体に結合することで、靴下が幼児の足に固定される。
【００１９】
靴下に接続されたコネクタは、靴下のカフ（袖口）の開口を通される。このコネクタを開口に通すことで、カフが下方に折りたたまれて固定される。これにより、靴下のカフ（袖口）が下方に折りたたまれて所定の位置に固定されるため、コネクタによって形成された通路にアクセスできなくなる。次に、コネクタを使用して、履物製品のヒールのループまたは他の同等の構造物を、靴下に結合する。これで準備が完了し、親または介護者は、靴下も履物も互いに分離しないことを確信する。
【００２０】
本発明のさらに別の実施形態では、履物製品が外れることを防止するための装置がある。この装置は、第１のストラップが結合された靴下であり、第１の端部および第２の端部を有する第１のストラップであって、第１の端部上に第１のコネクタが設けられ、第２の端部上に第２のコネクタが設けられている第１のストラップと、第１のストラップに結合された第２のストラップであって、少なくとも１つの通路を形成するように構成される第２のストラップと、前記少なくとも１つの通路を通されるように構成された第３のストラップであって、第３のストラップ上に第３のコネクタが設けられている第３のストラップとを備える。
【００２１】
本発明のさらに別の実施形態では、履物製品が外れることを防止するための装置がある。第１のストラップが結合された靴下であり、第１の端部および第２の端部を有する第１のストラップであって、第１の端部上にオスコネクタが設けられ、第２の端部上にメスコネクタが設けられている第１のストラップと、第１のストラップに直接結合された第２のストラップであって、少なくとも１つの通路を形成するように構成され、第２のストラップ上にオスコネクタが設けられている第２のストラップと、前記少なくとも１つの通路を通されるように構成された第３のストラップであって、第３のストラップの第１の端部上にメスコネクタが設けられ、第３のストラップの長さが調整可能である第３のストラップとを備える。
【００２２】
本発明のさらに別の態様では、履物製品を固定する方法である。この方法は、靴下を提供することであって、靴下は、靴下に結合されかつ第１の端部および第２の端部を有する第１のストラップであって、第１の端部上に第１のコネクタが設けられ、第２の端部上に第２のコネクタが設けられている第１のストラップと、第１のストラップに結合され、少なくとも１つの通路を形成するように構成される第２のストラップと、少なくとも１つの通路を通されるように構成された第３のストラップであって、第３のストラップ上に第３のコネクタが設けられている第３のストラップとを備えることと、第３のストラップを靴下の周囲に巻き付けることであって、第３のストラップは履物製品の通路を通されることと、第３のコネクタを、第２のストラップ上に設けられた第４のコネクタに結合することと、第１のストラップの第２のコネクタを、第１のストラップの第１のコネクタに結合することとを備える。
【００２３】
さらに、このシステムは、子供、とりわけ、幼児が安全に使用できるように設計および意図されている。すべての製品は、ある製品が別の製品から分離するのを防ぐようにして互いに取着されている。これにより、製品が外れることを防ぐための効果的な準備が形成されるだけでなく、あらゆる製品または発明が全体として幼児にとって窒息のリスクになることも防止される。
【００２４】
一般に、本発明は、以下の言及されていない他の利点および目的を提供する。
本発明の目的は、１つの被覆物を別の被覆物に結合する装置を提供することである。
本発明の目的は、幼児が安全に使用できる装置を提供することである。
【００２５】
本発明の目的は、単独の構造を生じさせる様々な相互接続された製品から構成される装置を提供することである。
本発明の目的は、履物製品の取り外しおよびまたは紛失を防止する装置を提供することである。
【００２６】
本発明の目的は、大人であれば容易に操作できるが、幼児では操作できない装置を提供することである。
本発明の目的は、複数の製品のいずれかが外れることを防止するための複数段階の固定を有する装置を提供することである。
【００２７】
本発明の目的は、軽量で快適に着用できる装置を提供することである。
本発明の目的は、ユーザにとって負担の少ない装置を提供することである。
本発明の目的は、ある製品の損失を防止およびまたは制限によって購入者の金銭的な節約に寄与する装置を提供することである。
【００２８】
本発明の目的は、様々な形状および大きさの子供にも対応可能な装置を提供することである。
本発明の目的は、靴下、履物、ミトン、手袋、帽子などを含む複数の形態や種類の被覆物で使用できる装置を提供することである。
【００２９】
本発明の目的は、派手でなく目立たない装置を提供することである。
本発明の目的は、子供に履物を履かせる時間を節約する装置を提供することである。
本発明の目的は、足および関連する皮膚の表面が製品にさらされるのを防ぐ装置を提供することである。
【図面の簡単な説明】
【００３０】
【図１】通路が露出された状態の第１の被覆物の斜視図。
【図２】通路を覆うように上部が折りたたまれた状態の第１の被覆物の斜視図。
【図３】上部が折りたたまれた状態の第１の被覆物の背面図。
【図４Ａ】第１のコネクタが結合された上部が延ばされた状態の第１の被覆物の背面斜視図。
【図４Ｂ】第１のコネクタが結合された上部が折りたたまれた状態の第１の被覆物の背面斜視図。
【図５Ａ】第２のコネクタが通路を通された状態の第１の被覆物の正面図。
【図５Ｂ】第２のコネクタを第１の被覆物に結合させた状態の第１の被覆物の正面図。
【図６】第２のコネクタを第１のコネクタに通した状態の第１の被覆物の背面斜視図。
【図７Ａ】コネクタの第１の実施形態。
【図７Ｂ】コネクタの第２の実施形態。
【図８】第２の被覆物に結合された第１の被覆物の側面図。
【図９】本発明の第２の実施形態のストラップシステムを露出させた状態の第２の実施形態の斜視図。
【図１０】靴下により第２の実施形態のストラップシステムが少なくとも部分的に覆われた状態の第２の実施形態を前面から見た斜視図。
【図１１】靴下により第２の実施形態のストラップシステムが少なくとも部分的に覆われた状態の第２の実施形態の背面図。
【図１２】第２の実施形態のストラップシステムが開放されている状態の拡大正面斜視図。
【図１３】靴下により第２の実施形態のストラップシステムが少なくとも部分的に覆われると共に完全に固定されている状態のストラップシステムの拡大正面斜視図。
【図１４】第３のストラップを少なくとも１つの通路に通した状態の第２の実施形態の側面図。
【図１５】第３のストラップを少なくとも２つの通路に通した状態の第２の実施形態の側面斜視図。
【図１６】靴下と履物製品とが結合された状態の第２の実施形態の側面図。
【発明を実施するための形態】
【００３１】
次に、本発明の好ましい実施形態を、図面を参照して説明する。様々な図の同一の要素は、同じ参照番号で示す。
ここで、本発明の各実施形態を詳細に参照する。実施形態は、本発明の説明として提供され、本発明を実施形態に限定することを意図していない。実際、当業者は本明細書を読み、図面を見れば、様々な修正および変形が可能であることを理解する。
【００３２】
図１は、靴下としての第１の被覆物１００を示す。しかしながら、第１の被覆物１００は、あらゆる種類の被覆物であり、帽子、手袋、ミトン、ストッキングなど、または非衣類、またはそれらの任意の組み合わせを含むが、これらに限定されない。
【００３３】
第１の被覆物１００は、一般に、第１または上部領域１３４と、第２または下部領域１３６とを有する。これらは、物理的な上部または下部である場合とそうでない場合があり、一方の部分と他方の部分との関係に過ぎない場合がある。通路被覆物１０８は、上部領域１３４の終端でかつ下部領域１３６の開始位置に設けられている。しかしながら、他の実施形態では、通路被覆物１０８の位置として別の位置を利用してもよい。通路被覆物１０８は、第１の被覆物１００と同じまたは異なる材料からなり、帯状である。通路被覆物１０８は、好ましくは、通路被覆物１０８に沿った少なくとも１つの点に沿って、第１の被覆物１００に接着されている。通路被覆物１０８は、好ましくは、通路開口１４０を有する通路を形成する。通路により、材料が、通路被覆物１０８と第１の被覆１００との間を通されて、その中に固定されるか他の方法で保持される。第１の被覆物１００が物体上を覆うように配置されるように、第１の被覆物１００には少なくとも１つの開口部１３８が設けられている。
【００３４】
図２に示すように、第１の被覆物１００は、第１の被覆物１００の一部を被覆するように折りたたまれた上部領域１３４を有している。覆われていない部分は、下部領域１３６のみか、または上部領域１３４と下部領域１３６との組み合わせとなる。図示されるように折り畳まれて配置された上部領域１３４によって、通路被覆物１０８が被覆されていることが好ましい。他の実施形態では、通路被覆物１０８は露出されたままでもよい。
【００３５】
図３に示すように、第１の被覆物１００の裏側から見て、上部領域１３４には、開口１３２が設けられている。開口１３２の位置は、第１の被覆物１００の別の部分にある図示しない第２の開口の位置と一致している。開口１３２は、垂直、水平、斜めなどの方向を向いて設けられている。また、開口１３２は、被覆物の裏側以外の他の位置に配置することができ、前面、側面、底面、上面、またはそれらの組み合わせが挙げられるが、これらに限定されない。さらに、図３には、下部領域１３６及び開口部１３８が示されている。
【００３６】
図４Ａに示すように、第１のコネクタ１０２は、第１の被覆物１００に結合されている。第１のコネクタ１０２の端部には、コネクタ１０４が設けられている。第１のコネクタ１０２は、好ましくは、開口１３２を通されて、コネクタ１０４で終端する。コネクタ１０４は、好ましくは、少なくとも第１の結合通路１２４および第２の結合通路１２６を有する。コネクタ１０４は、さらに、両結合通路の少なくとも１つの位置を固定するための固定機構１４２と、両結合通路の少なくとも１つが移動すること、場合によっては両結合通路の少なくとも１つが互いに移動することを可能にするヒンジ１２８または他の同等の機構とを有している。
【００３７】
図４Ｂに示すように、前述したように、第１の被覆物１００の上部領域１３４は下方に折りたたまれている。第１のコネクタ１０２は、開口１３２を通されるように配置されている。また、コネクタ１０４は、開口１３２から下方の位置にぶら下がるように配置されている。
【００３８】
図５Ａに示すように、第１の被覆物１００は、通路被覆物１０８と第１の被覆物１００との間を通される第２のコネクタ１０６を有している。第２のコネクタ１０６は、通路開口１４０を介して通路被覆物１０８を通される。第２のコネクタ１０６は、第１の端部および第２の端部を有し、少なくとも１つの結合機構１１２が一端に配置され、少なくとも１つの相補的結合機構１２０が他端に配置される。相補的結合機構１２０は、結合機構１１２に結合することができる。結合機構１１２および相補的な結合機構１２０は、任意の数の機構であり、面ファスナ、留め具、スナップ、ボタン、クリップ、またはそれらの任意の組み合わせを含むが、これらに限定されない。
【００３９】
図５Ｂに示すように、第２のコネクタ１０６の両端は、結合機構１１２および相補的結合機構１２０を介して結合される。次に、第２のコネクタ１０６は、第２のコネクタ１０６の２つの固定された端部を通路被覆物１０８の下にするように配置される。これにより、図４Ｂに示されるように上部領域を下方に折りたたむことができ、通路被覆物１０８および第２のコネクタ１０６を被覆することができる。
【００４０】
図６を参照し、後方からより詳細に示すように、第２のコネクタ１０６は、一般に、第１の部分１１４および第２の部分１１６を備えている。第１の部分１１４は、第２の部分１１６との間に隙間がある程度の長さで残すように、第２の部分１１６に結合されている。これにより、第２のコネクタ１０６は、第１の被覆物１００の周りに回転可能に調整可能となっている。第１の部分１１４は、少なくとも２つの点に沿って、第２の部分１１６に結合されている。これらの点での結合は、恒久的でもよく、取り外し可能でもよい。結合が取り外し可能な場合、第１の部分１１４または第２の部分１１６は、第１のコネクタ１０２の第２の通路１１８を通されて、２つの構成部品（製品）を結合する。第２の通路１１８は、第１の被覆物１００上で２つの接続点の間に形成されている（図４Ａ参照）。ただし、第２のコネクタ１０６は、図中では、両接続点のうちの１つを部分的に覆い隠している。あるいは、好ましくは、第１の部分１１４および第２の部分１１６は、恒久的に結合されると共に、第１の被覆物１００と共に単一の「ユニット」として販売される。こうした恒久的な構成は、取り外し可能な構成に関して上述したものと同じ方法で取り扱われる。このような単一のユニット（恒久的な）構成は、製品が紛失しないようにするだけでなく、窒息のリスクを取り除くことによって子供の安全を促進する。コネクタ１０４は、図６に示すように、開口１３２を通される。
【００４１】
図７Ａおよび図７Ｂを参照すると、コネクタ１０４の２つの別の実施形態が示されている。これらの２つの実施形態を示すが、コネクタ１０４には任意の数の実施形態が存在し、図示する２つの実施形態は例示にすぎない。
【００４２】
各コネクタ１０４は、第１のコネクタ１０２に接続されている状態で示されている。上述したように、第１のコネクタ１０２は、好ましくは、少なくとも図６に示すように、第１の被覆物１００に結合されている。コネクタ１０４は、円形または多角形または非多角形である部材からなり、第１の部分および第２の部分を含み、ヒンジ１２８および固定機構１４２を有している。ヒンジ１２８は、第１の部分または第２の部分の一方を他方の部分に対して移動させることができる任意の機構である。場合によっては、ヒンジ１２８は、両方の部分の移動を可能にする。
【００４３】
固定機構１４２は、好ましくは、コネクタ１０４の２つの部分を一体にしてそれらに固定することを可能にする。固定機構１４２は、ロック要素を提供するか、摩擦嵌合を使用して、２つの部分を互いに取り外し可能に固定することができる。第１の結合通路１２４および第２の結合通路１２６は、コネクタ１０４によって具現化されている。
【００４４】
図７Ａにおいて、第１の結合通路１２４および第２の結合通路１２６はいずれも、コネクタ１０４の内部領域に設けられている。但し、図７Ｂに示すように、第２の結合通路１２６は、コネクタ１０４の内部を含み、第１の結合通路１２４は、コネクタ１０４の第１の部分または第２の部分のうちの１つ内側に存在する。いずれの場合も、位置、向きなどは、実際の構成に関して異なる場合がある。
【００４５】
図８は、第１の被覆物１００と第２の被覆物２００との間の配置の実施形態を示す。第１の被覆物１００は、上部領域１３４が第２のコネクタ１０６および第１の通路１０８を被覆するように下方に折り畳まれるようにして、配置されている。第１のコネクタ１０４は、開口１３２を通されており、第２の結合通路１２６を介して、第２の被覆物２００に結合されている。第２の被覆物２００は、結合通路１３０または他の適切な接続機構を有している。例えば、結合通路１３０はループである。但し、袖口（カフス）、スナップ、ボタン、開口などを含む他の機構を使用することもできる。
【００４６】
図１〜図８に示す本発明およびその実施形態は、好ましくは、幼児から、手や足用の履物や被覆物等の製品が外れることを防止するために使用される。使用中、第１の被覆物は、子供の手、頭、足、その他の身体の付属肢を覆うように着用され、取着される。第１の被覆物は、好ましくは、第１のコネクタおよびそれに結合されたコネクタを有する。
【００４７】
第１の被覆物は、第２のコネクタを介して、身体の手や足に固定される。第２のコネクタは、身体の手や足の周りの第１の被覆物の「気密性」または「緩み」を選択的に調整可能にする結合機構および相補的結合機構を有する。このことは、第１の被覆物が身体の手や足から外れるのを防ぐことに有用である。次に、第２のコネクタは、第１の被覆物の開口に第１のコネクタが通されて引っ張られた状態で、第１の被覆物の一部によって覆われる。これにより、第２のコネクタへのアクセスが制限されると共に、装置及びシステムを全体として取り外すための器用さの層が追加される。
【００４８】
第１の被覆物の開口から引っ張られた第１のコネクタが、第２の被覆物との相互作用のために利用される。次に、第２の被覆物は、第１の被覆物の付近または近傍に配置される。場合によっては、第２の被覆物は、第１の被覆物よりも前に、身体を覆うように配置される。他の例では、第２の被覆物は、第１の被覆物に結合されたままで、身体を覆うように配置されないか、身体を完全には覆わないように配置される。
【００４９】
次に、第２の被覆物は、結合通路または同様に配置された構造を介して、第１の被覆物に結合される。少なくとも１つの実施形態では、コネクタは、第２の被覆物に設けられたループに結合される。場合によっては、靴やその他の履物の裏側にあるループである。コネクタは、第２の被覆物の結合通路に対してコネクタが意図せず外れないような方法で、取り外し可能に結合すべきである。
【００５０】
更に、第１の被覆物および第２の被覆物は、第１の被覆物に結合されているときに第２の被覆物が外れないように配置されるべきである。１つの実施形態では、靴下に結合された履物製品がある。更に、靴下は、靴下の自然な形のフィット感と共に、第２のコネクタによって足に結合されている。靴下に結合された状態で靴を外す（脱ぐ）ときに、第１のコネクタが第２のコネクタを越えて引っ張られることが防止される。第１のコネクタの長さにより、靴がかかとの底を越えることを防止する。従って、靴下に結合している間、靴を外す（脱ぐ）ことはできない。
【００５１】
図９〜図１６は、本発明の第２の実施形態を示す。一般に、第２の実施形態は、第１のストラップ２０１、第２のストラップ２０７、および第３のストラップ２０９を有する。第１のストラップ２０１は、第１の端部２０３および第２の端部２０５を有する。第１の端部２０３には第１のコネクタ２１３が設けられ、第２の端部２０５には第２のコネクタ２１５が設けられている。第１のストラップ２０１は、靴下２０２に結合され、靴下２０２と第１のストラップ２０１との間に通路２２３を形成する。第２のストラップ２０７は、第１のストラップ２０１に結合されることで、通路２１１を形成する。第２のストラップ２０７の外面は、第１のストラップ２０１の外面に直接取り付けられている。第２のストラップ２０７は、ねじ、留め具、スナップなど、またはそれらの組み合わせを介して、第１のストラップ２０１に結合されるか、固定される。第２のストラップ２０７は、ループ構造を形成する互いに取り付けられた第１の端部および第２の端部を有する。このループ構造により通路２１１が形成される。コネクタ２１９は、第２のストラップ２０７の外面において、第１のストラップ２０１との結合部と反対側に配置されている。
【００５２】
第３のストラップ２０９は、好ましくは、ループ端およびテール端を有する。ループ端は長さ調整機構２１７によって部分的に形成される。長さ調整機構２１７は、長さ調整機構２１７に第３のストラップ２０９を２回通すことを可能にする。その結果、長さ調整機構２１７の一方側にループが形成され、長さ調整機構２１７の他方側にテールが形成される。ループは、第３のストラップ２０９を通路２１１および通路２２３に通すことによって形成され、それにより、第１のストラップ２０１と第２のストラップ２０７とにループを固定する。これにより、第３のストラップ２０９のテール端がユーザの足首の周りで引っ張られると共に、第２のストラップ２０７上に配置されたコネクタ２１９に固定される。
【００５３】
第１のストラップ２０１、第２のストラップ２０７、および第３のストラップ２０９は、同じ材料または異なる材料で形成される。例示的な材料として、織布または不織布の布、生地、テリー織、織布または不織布の繊維、羊毛、亜麻、綿、およびまたは糸、デニム生地、エラストマー製の繊維や布、ナイロン、ポリエステル、およびまたはアクリル、それらの任意の組み合わせ等の合成繊維が挙げられるが、これらに限定されない。
【００５４】
コネクタ２１３、２１５、２１９、および２２０は、必要に応じてコネクタの開放を可能にしつつコネクタの確実な結合を可能にする特殊な干渉を有するオスメスコネクタの様々な組み合わせから構成される。好ましくは、第１のストラップ２０１に１つのオスコネクタおよび１つのメスコネクタが設けられ、第２のストラップ２０７にオスまたはメスコネクタが設けられ、第３のストラップ２０９にオスまたはメスコネクタが設けられる。前述のコネクタ配置は、第２のストラップ２０７のために選択されたコネクタと第３のストラップ２０９とが互いに反対側にありそれらが下記のように結合されることを可能にする補足説明によってなされる。
【００５５】
使用中、第２の実施形態は、第１のストラップ２０１が結合された靴下２０２を提供することによって、子供または他のユーザに着用される。第３のストラップ２０９のループ端は、第２のストラップ２０７によって形成される通路２１１と、靴下２０２および第１のストラップ２０１によって形成される通路２２３との両方に通される。第３のストラップ２０９の長さは、長さ調整機構２１７を介して調整することができる。長さ調整機構２１７によって、第３のストラップ２０９のループ部およびテール部が、必要に応じた所望の適合を提供するように修正される。
【００５６】
第３のストラップ２０９は、サイズが調整されると、履物３００の製品のループ部３１０に通される。第３のストラップ２０９はユーザの前部に操作され、第３のストラップ２０９上のコネクタ２２０は、第２のストラップ２０７上のコネクタ２１９に結合される。これにより、子供や他のユーザの足首の周りに優しくかつ確実な包囲が形成される。第１のストラップ２０１の第２の端部２０５のコネクタ２１５は、第１のストラップ２０１の第１の端部のコネクタ２１３と一致するように、上方に折りたたまれる。このことは、第１の点が第１の端部２０３付近でかつ第１のストラップ２０１のほぼ中間点にある状態で、第１のストラップ２０１が第１の点と第２の点とで靴下２０２に取り付けられることで、達成される。このプロセスでは、第１のストラップ２０１により覆われることで、第３のストラップ２０９が確実に位置決めされると共に、第３のストラップ２０９が解けることを防止する。
【００５７】
さらに、ユーザは、第１のストラップ２０１、第２のストラップ２０７、および第３のストラップ２０９の少なくとも一部の上に、靴下２０２を下方に折りたたむことができる。靴下２０２は、本発明の実施形態のストラップシステムを被覆するように１回で下方に折りたたむことができる。他の実施形態では、靴下２０２は、少なくとも１回折りたたまれてから、本発明の実施形態のストラップシステムを覆うように折りたたまれる。靴下２０２の折り畳みは、着用者に快適さを提供するだけでなく、予期せず解けないようにするための追加の層を提供する。さらに、靴下２０２の折り畳みにより、スナップが隠されると共に、着用者がけがを負うことや、第三者にけがを負わせることを防止できる。
【００５８】
同様の機構を使用して、例えば、コートを一対のミトンに結合することができ、それにより、子供は、ミトンがコートに結合されている間は、ミトンを外す（脱ぐ）ことができなくなる。また、子供は、ミトンを外すための運動技能を有することができない。全体的な発明は、幼児に安全な製品を提供する相互接続された複数の製品を含むことを意図している。製品同士を外すことができないため、各製品による窒息のリスクはない。他の実施形態が存在し、本発明の範囲内に含まれる。
【００５９】
本発明をある程度詳細に説明したが、本開示は例示のためにのみ行われたものであり、製品の構造および配置の詳細における多くの変更について、発明の思想と範囲から逸脱せずに主張できることは理解すべきである。
【図１】
2021534333.tif 000003
【図２】
2021534333.tif 000004
【図３】
2021534333.tif 000005
【図４Ａ】
2021534333.tif 000006
【図４Ｂ】
2021534333.tif 000007
【図５Ａ】
2021534333.tif 000008
【図５Ｂ】
2021534333.tif 000009
【図６】
2021534333.tif 000010
【図７Ａ】
2021534333.tif 000011
【図７Ｂ】
2021534333.tif 000012
【図８】
2021534333.tif 000013
【図９】
2021534333.tif 000014
【図１０】
2021534333.tif 000015
【図１１】
2021534333.tif 000016
【図１２】
2021534333.tif 000017
【図１３】
2021534333.tif 000018
【図１４】
2021534333.tif 000019
【図１５】
2021534333.tif 000020
【図１６】
2021534333.tif 000021
【国際調査報告】
2021534333.tif 000022